(57)【要約】      （修正有）【課題】超静音スキニング装置を提供する。【解決手段】超静音スキニング装置は、超音波刃物６０と超音波刃物に連結されるスキニング装置本体８００を含む。スキニング装置本体は、第一ケース３０と、第一ケースと対向するように結合される第二ケース４０と、第一ケースと第二ケースとの間に取り付けられ、第一ケースと第二ケースにより包囲され、かつ超音波刃物に電気接続されるスキニング装置駆動回路１０と、第一ケースと第二ケースとの間に取り付けられ、第一ケースと第二ケースにより包囲され、かつスキニング装置駆動回路に電気接続されるバッテリーモジュール２０とを含む。スキニング装置駆動回路は、目標周波数、目標デューティ比を具備する駆動信号を形成し、駆動信号によってバッテリーモジュールが出力する電源電圧を変換させることにより目標駆動電圧を獲得し、かつ目標駆動電圧を超音波刃物に出力することによりその超音波刃物が振動するように駆動する。【選択図】図１
0003232809.tif 000002
【実用新案登録請求の範囲】
【請求項１】
超音波刃物と当該超音波刃物連結されるスキニング装置本体を含み、
前記キニング装置本体は、
第一ケースと、
前記第一ケースと対向するように結合される第二ケースと、
前記第一ケースと前記第二ケースとの間に取り付けられ、前記第一ケースと前記第二ケースにより包囲され、かつ前記超音波刃物に電気接続されるスキニング装置駆動回路と、
前記第一ケースと前記第二ケースとの間に取り付けられ、前記第一ケースと前記第二ケースにより包囲され、かつ前記スキニング装置駆動回路に電気接続されるバッテリーモジュールとを含み、
前記スキニング装置駆動回路は、目標周波数、目標デューティ比を具備する駆動信号を形成し、前記駆動信号によって前記バッテリーモジュールが出力する電源電圧を変換させることにより目標駆動電圧を獲得し、かつ前記目標駆動電圧を前記超音波刃物に出力することによりその超音波刃物が振動するように駆動することを特徴とする超静音スキニング装置。
【請求項２】
前記目標周波数の範囲は２４．５〜２５．５ＫＨｚであり、前記目標デューティ比の範囲は３７％±２％であり、前記目標駆動電圧の範囲は２．７〜４．２Ｖであることを特徴とする請求項１に記載の超静音スキニング装置。
【請求項３】
前記スキニング装置駆動回路は、バッテリーモジュールに電気接続される電源回路と、前記電源回路に電気接続される主制御回路と、前記主制御回路と前記電源回路に電気接続される駆動スイッチ回路と、前記電源回路と前記駆動スイッチ回路に電気接続される電圧変換回路と、前記電圧変換回路に電気接続される駆動信号出力インターフェースと含み、
前記電源回路は電源電圧を供給し、前記主制御回路は、目標周波数、目標デューティ比を具備する前記駆動信号を前記駆動スイッチ回路に送信し、前記駆動スイッチ回路は前記駆動信号により前記電源回路が供給した前記電源電圧を変換させることにより前記目標駆動電圧を獲得し、前記電圧変換回路は前記駆動信号出力インターフェースにより前記目標駆動電圧を前記超音波刃物に出力することを特徴とする請求項１に記載の超静音スキニング装置。
【請求項４】
前記主制御回路はマイクロコントローラーを含み、前記マイクロコントローラーは前記電源回路と前記駆動スイッチ回路に電気接続され、前記駆動スイッチ回路は、電場効果トランジスター、第一抵抗、第二抵抗、第三抵抗および第四抵抗を含み、前記電場効果トランジスターは、ソース、ゲートおよびドレーンを含み、前記ソースは前記第一抵抗により接地し、前記ゲートは前記第二抵抗により前記主制御回路に電気接続され、前記ドレーンは前記電圧変換回路に電気接続され、前記電場効果トランジスターは第三抵抗により前記主制御回路に電気接続され、前記電場効果トランジスターは第四抵抗、第二抵抗により前記主制御回路にも電気接続されることを特徴とする請求項３に記載の超静音スキニング装置。
【請求項５】
前記スキニング装置駆動回路はイオン移動制御回路を更に含み、前記イオン移動制御回路は、第五抵抗、第六抵抗、第七抵抗、第八抵抗、第九抵抗、第十抵抗、第十一抵抗、第十二抵抗、第十三抵抗、第一バイポーラ・バイポーラー・トランジスタ、第二バイポーラ・バイポーラー・トランジスタ、第三バイポーラ・バイポーラー・トランジスタ、第四バイポーラ・バイポーラー・トランジスタ、取っ手導電部接続インタフェースおよびブレード金属部に電気接続されるブレード金属部接続インタフェースを含み、前記第一バイポーラ・バイポーラー・トランジスタのベース電極は前記第五抵抗により前記主制御回路に電気接続され、前記第一バイポーラ・バイポーラー・トランジスタのエミッタは接地し、前記第一バイポーラ・バイポーラー・トランジスタのコレクターは前記第六抵抗により前記ブレード金属部接続インタフェースに電気接続され、前記駆動信号出力インタフェースは前記第六抵抗と前記ブレード金属部接続インタフェースとの間にも電気接続され、前記第二バイポーラ・バイポーラー・トランジスタのベース電極は前記第七抵抗により前記主制御回路に電気接続され、前記第二バイポーラ・バイポーラー・トランジスタのエミッタは接地し、前記第二バイポーラ・バイポーラー・トランジスタのコレクターは前記第十三抵抗により前記取っ手導電部接続インタフェースに電気接続され、前記第三バイポーラ・バイポーラー・トランジスタのコレクターは前記第二バイポーラ・バイポーラー・トランジスタの前記コレクターに電気接続され、前記第三バイポーラ・バイポーラー・トランジスタのエミッタは第八抵抗により前記電源回路に電気接続され、前記第三バイポーラ・バイポーラー・トランジスタのベース電極は前記第十抵抗により前記第四バイポーラ・バイポーラー・トランジスタのコレクターに電気接続され、前記第九抵抗の一端は前記第三バイポーラ・バイポーラー・トランジスタのベース電極と前記第十抵抗との間に電気接続され、前記第九抵抗の他端は前記第八抵抗と前記第四バイポーラ・バイポーラー・トランジスタのエミッタとの間に電気接続され、前記十一抵抗は前記四バイポーラ・バイポーラー・トランジスタのベース電極とエミッタとの間に電気接続され、前記十二抵抗の一端は前記四バイポーラ・バイポーラー・トランジスタのベース電極に電気接続され、前記十二抵抗の他端は前記十三抵抗と前記二バイポーラ・バイポーラー・トランジスタのコレクターとの間に電気接続され、前記四バイポーラ・バイポーラー・トランジスタのベース電極は前記六抵抗と前記一バイポーラ・バイポーラー・トランジスタのコレクターとの間にも電気接続され、
前記第二ケースから離れている前記第一ケースの一側には取っ手導電部が形成され、前記第一ケース上には導電用貫通孔が形成され、前記取っ手導電部は、前記導電用貫通孔により前記第二ケースに近づいている前記第一ケースの一側まで延伸し、かつ前記スキニング装置駆動回路の前記取っ手導電部接続インタフェースに電気接続され、前記超音波刃物はブレード金属部と前記ブレード金属部上に形成される超音波振動部を含み、前記超音波振動部は前記駆動信号出力インターフェースに連結され、前記ブレード金属部は前記ブレード金属部接続インタフェースに連結され、
前記第一バイポーラ・バイポーラー・トランジスタと前記第二バイポーラ・バイポーラー・トランジスタはＮＰＮ型バイポーラ・バイポーラー・トランジスタであり、前記第三バイポーラ・バイポーラー・トランジスタと前記第四バイポーラ・バイポーラー・トランジスタはＰＮＰ型バイポーラ・バイポーラー・トランジスタであることを特徴とする請求項３に記載の超静音スキニング装置。
【請求項６】
前記第一ケースは第一ケース本体を含み、前記第一ケース本体の外側には第一ケース本体の長手方向に延伸しているストリップ状凹部が形成され、前記導電用貫通孔は前記ストリップ状凹部内に形成され、前記取っ手導電部はストリップ状底部と前記ストリップ状底部の一側に形成される導電柱とを含み、前記取っ手導電部の前記ストリップ状底部は前記ストリップ状凹部内に結合され、前記導電柱は前記導電用貫通孔に挿入されるとともに前記スキニング装置駆動回路の前記取っ手導電部接続インタフェースに電気接続され、前記ストリップ状底部には第一位置決め部と第二位置決め部が形成され、前記第一位置決め部と前記第二位置決め部は前記ストリップ状底部上において導電柱が形成されている一側に形成され、前記第一位置決め部と前記第二位置決め部は前記導電柱の両側すなわち前記ストリップ状底部の長手方向の両側に位置しており、前記ストリップ状凹部内には第一位置決め孔と第二位置決め孔が更に形成され、前記第一位置決め孔と前記第二位置決め孔は前記導電用貫通孔の両側すなわち前記ストリップ状凹部の長手方向の両側に位置しており、前記第一位置決め部および前記第二位置決め部は、前記第一位置決め孔および前記第二位置決め孔と一対一に対応し、かつ前記第一位置決め孔および前記第二位置決め孔にそれぞれ挿入されることを特徴とする請求項５に記載の超静音スキニング装置。
【請求項７】
前記第一ケースは取っ手導電部の防水シリカゲルベースを更に含み、前記取っ手導電部の防水シリカゲルベースは前記取っ手導電部から離れている前記第一ケース本体の一側に取り付けられ、前記取っ手導電部の防水シリカゲルベースは、防水シリカゲルベース本体、防水シリカゲルベース本体上に形成される第一防水孔、第二防水孔および第三防水孔を含み、前記第一位置決め部、前記導電柱および前記第二位置決め部はそれぞれ、前記第一防水孔、前記第二防水孔および前記第三防水孔に挿入されることを特徴とする請求項６に記載の超静音スキニング装置。
【請求項８】
前記スキニング装置駆動回路はスイッチ制御回路を更に含み、前記スイッチ制御回路は、制御スイッチ、第一パイロットランプ、第二パイロットランプ、第三パイロットランプ、第十四抵抗、第十五抵抗および第十六抵抗を含み、前記制御スイッチの一端は前記十四抵抗により接地し、前記制御スイッチの他端は前記主制御回路に電気接続され、前記制御スイッチの他端は第二パイロットランプと第十五抵抗により前記主制御回路と前記電源回路にも電気接続され、前記第一パイロットランプの一端は前記第二パイロットランプと前記第十五抵抗との間に電気接続され、前記第一パイロットランプの他端は前記主制御回路に電気接続され、前記第三パイロットランプの一端は前記第一パイロットランプの他端に電気接続され、前記第三パイロットランプの他端は前記十六抵抗により前記主制御回路と前記電源回路に電気接続されることを特徴とする請求項３に記載の超静音スキニング装置。
【請求項９】
前記電源回路は、第一インタフェース、充電回路、バッテリーインタフェース、昇圧回路およびレギュレーション回路を含み、前記第一インタフェースは前記充電回路により前記バッテリーインタフェースと前記昇圧回路に電気接続され、前記昇圧回路は、前記レギュレーション回路、前記主制御回路および前記電圧変換回路に電気接続され、前記レギュレーション回路は前記主制御回路に電気接続され、前記昇圧回路は前記主制御回路と前記スイッチ制御回路にも電気接続されることを特徴とする請求項３に記載の超静音スキニング装置。
【請求項１０】
前記超静音スキニング装置は、前記超音波刃物を露出させるように前記スキニング装置本体の外部に取り付けられる本体保護ケースと、
前記本体保護ケースに連結され、前記超音波刃物を包囲するように取り付けられ、かつ前記本体保護ケースを密閉させる密閉部品と、
前記密閉部品上に取り付けられ、かつ前記超音波刃物を覆う超音波刃物保護カバーとを更に含み、
前記密閉部品は超音波刃物防水ケースと超音波刃物防水シリカゲルを含み、前記超音波刃物防水シリカゲルは前記超音波刃物防水ケース内に取り付けられ、前記超音波刃物防水シリカゲルは前記超音波刃物を包囲するように取り付けられ、前記超音波刃物防水ケースは前記本体保護ケースに結合されることにより前記本体保護ケースを密閉させることを特徴とする請求項１に記載の超静音スキニング装置。
【考案の詳細な説明】
【技術分野】
【０００１】
本考案は、美容技術分野に属し、特に、超静音スキニング装置に関するものである。
【背景技術】
【０００２】
現在、人々は通常、スキニング装置等のような装置により皮膚上の老化の角質を除去するとともに皮膚を引き上げる。通常、従来のスキニング装置の駆動回路は所定の周波数を有している駆動信号を出力することによりブレードが高頻度に振動するように駆動し、駆動信号の周波数を調節することによりブレードの振動の強弱を調節する。しかしながら、従来のスキニング装置を使用するとき、スキニング装置の振動により静音の効果が悪くなり、使用者の体験に大きい影響を与えるおそれがある。
【考案の概要】
【考案が解決しようとする課題】
【０００３】
従来の技術の一部分の欠陥と欠点を解決するため、本考案の実施例において超静音スキニング装置を提供することにより、スキニング装置の静音の効果を向上させ、使用者の体験と製品の品質を向上させようとする。
【課題を解決するための手段】
【０００４】
本考案の実施例において、超静音スキニング装置を提供する。その超静音スキニング装置は超音波刃物と当該超音波刃物連結されるスキニング装置本体を含む。前記キニング装置本体は、第一ケースと、前記第一ケースと対向するように結合される第二ケースと、前記第一ケースと前記第二ケースとの間に取り付けられ、前記第一ケースと前記第二ケースにより包囲され、かつ前記超音波刃物に電気接続されるスキニング装置駆動回路と、前記第一ケースと前記第二ケースとの間に取り付けられ、前記第一ケースと前記第二ケースにより包囲され、かつ前記スキニング装置駆動回路に電気接続されるバッテリーモジュールとを含む。前記スキニング装置駆動回路は、目標周波数、目標デューティ比を具備する駆動信号を形成し、前記駆動信号によって前記バッテリーモジュールが出力する電源電圧を変換させることにより目標駆動電圧を獲得し、かつ前記目標駆動電圧を前記超音波刃物に出力することによりその超音波刃物が振動するように駆動する。
【０００５】
本考案の実施例において、前記目標周波数の範囲は２４．５〜２５．５ＫＨｚであり、前記目標デューティ比の範囲は３７％±２％であり、前記目標駆動電圧の範囲は２．７〜４．２Ｖである。
【０００６】
本考案の実施例において、前記スキニング装置駆動回路は、バッテリーモジュールに電気接続される電源回路と、前記電源回路に電気接続される主制御回路と、前記主制御回路と前記電源回路に電気接続される駆動スイッチ回路と、前記電源回路と前記駆動スイッチ回路に電気接続される電圧変換回路と、前記電圧変換回路に電気接続される駆動信号出力インターフェースと含む。前記電源回路は電源電圧を供給し、前記主制御回路は、目標周波数、目標デューティ比を具備する前記駆動信号を前記駆動スイッチ回路に送信し、前記駆動スイッチ回路は前記駆動信号により前記電源回路が供給した前記電源電圧を変換させることにより前記目標駆動電圧を獲得し、前記電圧変換回路は前記駆動信号出力インターフェースにより前記目標駆動電圧を前記超音波刃物に出力する。
【０００７】
本考案の実施例において、前記主制御回路はマイクロコントローラーを含み、前記マイクロコントローラーは前記電源回路と前記駆動スイッチ回路に電気接続される。前記駆動スイッチ回路は、電場効果トランジスター、第一抵抗、第二抵抗、第三抵抗および第四抵抗を含み、前記電場効果トランジスターは、ソース、ゲートおよびドレーンを含み、前記ソースは前記第一抵抗により接地し、前記ゲートは前記第二抵抗により前記主制御回路に電気接続され、前記ドレーンは前記電圧変換回路に電気接続される。前記電場効果トランジスターは第三抵抗により前記主制御回路に電気接続され、前記電場効果トランジスターは第四抵抗、第二抵抗により前記主制御回路にも電気接続される。
【０００８】
本考案の実施例において、前記スキニング装置駆動回路はイオン移動制御回路を更に含み、前記イオン移動制御回路は、第五抵抗、第六抵抗、第七抵抗、第八抵抗、第九抵抗、第十抵抗、第十一抵抗、第十二抵抗、第十三抵抗、第一バイポーラ・バイポーラー・トランジスタ、第二バイポーラ・バイポーラー・トランジスタ、第三バイポーラ・バイポーラー・トランジスタ、第四バイポーラ・バイポーラー・トランジスタ、取っ手導電部接続インタフェースおよびブレード金属部に電気接続されるブレード金属部接続インタフェースを含む。前記第一バイポーラ・バイポーラー・トランジスタのベース電極は前記第五抵抗により前記主制御回路に電気接続され、前記第一バイポーラ・バイポーラー・トランジスタのエミッタは接地し、前記第一バイポーラ・バイポーラー・トランジスタのコレクターは前記第六抵抗により前記ブレード金属部接続インタフェースに電気接続され、前記駆動信号出力インタフェースは前記第六抵抗と前記ブレード金属部接続インタフェースとの間にも電気接続される。前記第二バイポーラ・バイポーラー・トランジスタのベース電極は前記第七抵抗により前記主制御回路に電気接続され、前記第二バイポーラ・バイポーラー・トランジスタのエミッタは接地し、前記第二バイポーラ・バイポーラー・トランジスタのコレクターは前記第十三抵抗により前記取っ手導電部接続インタフェースに電気接続される。前記第三バイポーラ・バイポーラー・トランジスタのコレクターは前記第二バイポーラ・バイポーラー・トランジスタの前記コレクターに電気接続され、前記第三バイポーラ・バイポーラー・トランジスタのエミッタは第八抵抗により前記電源回路に電気接続され、前記第三バイポーラ・バイポーラー・トランジスタのベース電極は前記第十抵抗により前記第四バイポーラ・バイポーラー・トランジスタのコレクターに電気接続される。前記第九抵抗の一端は前記第三バイポーラ・バイポーラー・トランジスタのベース電極と前記第十抵抗との間に電気接続され、前記第九抵抗の他端は前記第八抵抗と前記第四バイポーラ・バイポーラー・トランジスタのエミッタとの間に電気接続され、前記十一抵抗は前記四バイポーラ・バイポーラー・トランジスタのベース電極とエミッタとの間に電気接続され、前記十二抵抗の一端は前記四バイポーラ・バイポーラー・トランジスタのベース電極に電気接続され、前記十二抵抗の他端は前記十三抵抗と前記二バイポーラ・バイポーラー・トランジスタのコレクターとの間に電気接続され、前記四バイポーラ・バイポーラー・トランジスタのベース電極は前記六抵抗と前記一バイポーラ・バイポーラー・トランジスタのコレクターとの間にも電気接続される。前記第二ケースから離れている前記第一ケースの一側には取っ手導電部が形成され、前記第一ケース上には導電用貫通孔が形成され、前記取っ手導電部は、前記導電用貫通孔により前記第二ケースに近づいている前記第一ケースの一側まで延伸し、かつ前記スキニング装置駆動回路の前記取っ手導電部接続インタフェースに電気接続され、前記超音波刃物はブレード金属部と前記ブレード金属部上に形成される超音波振動部を含み、前記超音波振動部は前記駆動信号出力インターフェースに連結され、前記ブレード金属部は前記ブレード金属部接続インタフェースに連結される。
【０００９】
本考案の実施例において、前記第一ケースは第一ケース本体を含み、前記第一ケース本体の外側には第一ケース本体の長手方向に延伸しているストリップ状凹部が形成され、前記導電用貫通孔は前記ストリップ状凹部内に形成される。前記取っ手導電部はストリップ状底部と前記ストリップ状底部の一側に形成される導電柱とを含み、前記取っ手導電部の前記ストリップ状底部は前記ストリップ状凹部内に結合され、前記導電柱は前記導電用貫通孔に挿入されるとともに前記スキニング装置駆動回路の前記取っ手導電部接続インタフェースに電気接続される。前記ストリップ状底部には第一位置決め部と第二位置決め部が形成され、前記第一位置決め部と前記第二位置決め部は前記ストリップ状底部上において導電柱が形成されている一側に形成され、前記第一位置決め部と前記第二位置決め部は前記導電柱の両側すなわち前記ストリップ状底部の長手方向の両側に位置している。前記ストリップ状凹部内には第一位置決め孔と第二位置決め孔が更に形成され、前記第一位置決め孔と前記第二位置決め孔は前記導電用貫通孔の両側すなわち前記ストリップ状凹部の長手方向の両側に位置しており、前記第一位置決め部および前記第二位置決め部は、前記第一位置決め孔および前記第二位置決め孔と一対一に対応し、かつ前記第一位置決め孔および前記第二位置決め孔にそれぞれ挿入される。
【００１０】
本考案の実施例において、前記第一ケースは取っ手導電部の防水シリカゲルベースを更に含み、前記取っ手導電部の防水シリカゲルベースは前記取っ手導電部から離れている前記第一ケース本体の一側に取り付けられる。前記取っ手導電部の防水シリカゲルベースは、防水シリカゲルベース本体、防水シリカゲルベース本体上に形成される第一防水孔、第二防水孔および第三防水孔を含み、前記第一位置決め部、前記導電柱および前記第二位置決め部はそれぞれ、前記第一防水孔、前記第二防水孔および前記第三防水孔に挿入される。
【００１１】
本考案の実施例において、前記スキニング装置駆動回路はスイッチ制御回路を更に含み、前記スイッチ制御回路は、制御スイッチ、第一パイロットランプ、第二パイロットランプ、第三パイロットランプ、第十四抵抗、第十五抵抗および第十六抵抗を含む。前記制御スイッチの一端は前記十四抵抗により接地し、前記制御スイッチの他端は前記主制御回路に電気接続され、前記制御スイッチの他端は第二パイロットランプと第十五抵抗により前記主制御回路と前記電源回路にも電気接続され、前記第一パイロットランプの一端は前記第二パイロットランプと前記第十五抵抗との間に電気接続される。前記第一パイロットランプの他端は前記主制御回路に電気接続され、前記第三パイロットランプの一端は前記第一パイロットランプの他端に電気接続され、前記第三パイロットランプの他端は前記十六抵抗により前記主制御回路と前記電源回路に電気接続される。
【００１２】
本考案の実施例において、前記電源回路は、第一インタフェース、充電回路、バッテリーインタフェース、昇圧回路およびレギュレーション回路を含み、前記第一インタフェースは前記充電回路により前記バッテリーインタフェースと前記昇圧回路に電気接続され、前記昇圧回路は、前記レギュレーション回路、前記主制御回路および前記電圧変換回路に電気接続され、前記レギュレーション回路は前記主制御回路に電気接続され、前記昇圧回路は前記主制御回路と前記スイッチ制御回路にも電気接続される。
【００１３】
本考案の実施例において、前記超静音スキニング装置は、前記超音波刃物を露出させるように前記スキニング装置本体の外部に取り付けられる本体保護ケースと、前記本体保護ケースに連結され、前記超音波刃物を包囲するように取り付けられ、かつ前記本体保護ケースを密閉させる密閉部品と、前記密閉部品上に取り付けられ、かつ前記超音波刃物を覆う超音波刃物保護カバーとを更に含む。前記密閉部品は超音波刃物防水ケースと超音波刃物防水シリカゲルを含み、前記超音波刃物防水シリカゲルは前記超音波刃物防水ケース内に取り付けられ、前記超音波刃物防水シリカゲルは前記超音波刃物を包囲するように取り付けられ、前記超音波刃物防水ケースは前記本体保護ケースに結合されることにより前記本体保護ケースを密閉させる。
【考案の効果】
【００１４】
本考案の前記１つまたは複数の技術的事項により次のような考案の効果を獲得することができる。本考案の実施例に係る超静音スキニング装置は所定のスキニング装置駆動回路を使用することにより、目標周波数、目標デューティ比を具備する駆動信号を形成し、前記駆動信号によって前記バッテリーモジュールが出力する電源電圧を変換させることにより目標駆動電圧を獲得し、かつ前記目標駆動電圧を前記超音波刃物に出力することによりその超音波刃物が振動するように駆動する。それにより、スキニング装置の静音の効果を獲得し、製品の品質と使用者の体験を向上させることができる。イオン移動制御回路が設けられることによりイオンの導入、導出および超音波振動が含まれる多機能組合せモードを獲得することができ、かつ形成された微小電流で皮膚を刺激することにより筋肉の痙攣を低減し、筋肉の移動を増加させ、筋萎縮を減少させるとともに防止し、局部の血液循環と筋肉の再鍛錬を増加させることができる。また、微小電流で筋肉とリンパを刺激することにより、筋肉を収縮させ、水腫を抑制し、皮膚を引き上げる効果等を獲得することができる。使用者にいろいろな機能を提供することにより使用者の使用体験を向上させるとともに製品の使用の範囲を広げることができる。電源回路に昇圧回路が設けられることによりバッテリーモジュールが入力した電源電圧に対して昇圧を二回実施し、超音波振動に用いられる電圧を正確に制御することができる。また、キニング装置本体の外部に取り付けられる本体保護ケースと密閉部品により従来の技術のキニング装置の防水性がよくない問題を解決することができる。
【図面の簡単な説明】
【００１５】
本考案の実施例に係る技術的事項をより詳細に説明するため、以下、本考案の実施例に係る図面を簡単に説明する。注意されたいことは、下記図面は本考案の例示にしか過ぎないものであるため、この技術分野の技術者は創造的な研究をしなくても下記図面により他の図面を想到することができる。
【図１】本考案の実施例に係る超静音スキニング装置の構造を示す斜視分解図である。
【図２】図１のスキニング装置駆動回路の１つの回路を示す図である。
【図３】図２の主制御回路、駆動スイッチ回路および電圧変換回路の接続関係を示す図である。
【図４】図１のスキニング装置駆動回路の他の１つの回路を示す図である。
【図５】図４のイオン移動制御回路の回路を示す図である。
【図６】図１の第一ケースの１つの構造を示す図である。
【図７】図４のスイッチ制御回路の回路を示す図である。
【図８】図２の電源回路の構造を示す図である。
【図９】図８の第一インタフェース、充電回路およびバッテリーインタフェースの接続関係を示す図である。
【図１０】図８の昇圧回路の回路を示す図である。
【図１１】図８のレギュレーション回路の回路を示す図である。
【図１２】図８の超音波刃物、スキニング装置駆動回路および他の部品の間の位置関係と構造を示す図である。
【図１３】本考案の実施例に係る他の超静音スキニング装置の構造を示す斜視分解図である。
【考案を実施するための形態】
【００１６】
注意されたいことは、矛盾がない限り、本考案の各実施例または実施例中の技術的事項を任意に組み合わることができる。以下、本考案の実施例に係る図面と実施例により本考案を詳細に説明する。
【００１７】
本考案の技術的事項を当業者によく理解してもらうため、以下、図面と本考案の実施例中の図面の組み合わせにより、本考案の実施例に係る技術的事項を詳細、明瞭に説明する。
【００１８】
注意されたいことは、本考案の明細書、実用新案登録請求の範囲および前記図面中の「第一」、「第二」という用語は、類似している対象を区別するためのものであり、特定の順番や前後の順序を意味するものでない。本考案において用いる用語を適当に変換させることができ、ここで説明する本願の実施例は、図示や明細書に記載される順番だけでなく、他の順番に沿って実施されることもできる。また、「含む」、「具備する」という用語とその用語たちのいずれかの変更は、含まれている事項以外の事項を含むことを排除する意図はない。例えば、一連のステップまたはユニットを含むプロセス、方法、システム、製品または装置は、明確に列挙されているステップまたはユニットだけでなく、明確に列挙されないか或いはそれらのプロセス、方法、製品または機器が具備している他の固有ステップまたはユニットを更に含むこともできる。
【００１９】
注意されたいことは、この明細書において用いる「及び／又は」という用語は、関連対象の関連関係を説明するものであり、３つの関係が存在することを意味する。すなわちＡ及び／又はＢという用語は、Ａのみが存在すること、ＡとＢが同時に存在すること、Ｂのみが存在することとを意味することができる。また、この明細書において用いる「／」という符号は通常、その符号の前後に位置している事項が「または」という関係を有していることを意味する。
【００２０】
図１に示すとおり、本考案の実施例において超静音スキニング装置９００を提供する。具体的に、本考案の実施例に係る超静音スキニング装置９００は例えば、超音波刃物６０と超音波刃物６０に連結されるスキニング装置本体８００を含むことができる。超音波刃物６０により皮膚表面の汚れを除去することができる。スキニング装置本体８００は超音波刃物を取り付けらせかつ超音波刃物が振動するように駆動することができる。
【００２１】
具体的に、スキニング装置本体８００は例えば、第一ケース３０、第二ケース４０、スキニング装置駆動回路１０およびバッテリーモジュール２０を含むことができる。第一ケース３０と第二ケース４０は、超静音スキニング装置９００を保護する保護ケースを構成し、かつ保護ケースの内部に取り付けられるスキニング装置駆動回路１０とバッテリーモジュール２０等を保護する。第一ケース３０と第二ケース４０は対向するように結合される。第一ケース３０と第二ケース４０を結合させるとき、その間には収納空間が形成される。スキニング装置駆動回路１０は前記第一ケース３０と前記第二ケース４０との間に取り付けられ、かつ前記第一ケース３０と前記第二ケース４０により包囲される。すなわちスキニング装置駆動回路１０は前記収納空間内に収納される。前記スキニング装置駆動回路１０は、前記超音波刃物６０に電気接続され、かつ超音波刃物６０が振動するように駆動する。超音波刃物６０が振動することにより皮膚の汚れをきれいに除去することができる。
【００２２】
バッテリーモジュール２０はいろいろな装置、例えば超静音スキニング装置９００を電力を供給する。バッテリーモジュール２０は例えば従来のストレージバッテリであるか或いは電力を貯蔵するとともに供給できる他のバッテリーであることができる。バッテリーモジュール２０は、前記第一ケース３０と前記第二ケース４０との間に取り付けられ、かつ前記第一ケース３０と前記第二ケース４０により包囲される。すなわちバッテリーモジュール２０は前記収納空間内に収納される。前記バッテリーモジュール２０は前記スキニング装置駆動回路に電気接続される。
【００２３】
本考案の実施例に係る超静音スキニング装置中のスキニング装置駆動回路は、目標周波数、目標デューティ比（ｄｕｔｙ  ｒａｔｉｏ）を具備する駆動信号を形成し、前記駆動信号によって前記バッテリーモジュールが出力する電源電圧を変換させることにより目標駆動電圧を獲得し、かつ前記目標駆動電圧を前記超音波刃物に出力することによりその超音波刃物が振動するように駆動する。それにより、スキニング装置の静音の効果を獲得し、製品の品質と使用者の体験を向上させることができる。
【００２４】
好ましくは、前記目標周波数の範囲は２４．５〜２５．５ＫＨｚであり、前記目標デューティ比の範囲は３７％±２％であり、前記目標駆動電圧の範囲は２．７〜４．２Ｖである。
【００２５】
具体的に、図２を参照すると、前記スキニング装置駆動回路１０は例えば、電源回路１１０、主制御回路（Ｍａｉｎ  ｃｏｎｔｒｏｌ  ｃｉｒｃｕｉｔ）１２０、駆動スイッチ回路１３０、電圧変換回路１４０および駆動信号出力インターフェース１５０を含むことができる。主制御回路１２０は前記電源回路１１０に電気接続され、駆動スイッチ回路１３０は前記主制御回路１２０と前記電源回路１１０に電気接続され、電圧変換回路１４０は前記電源回路１１０と前記駆動スイッチ回路１３０に電気接続され、駆動信号出力インターフェース１５０は前記電圧変換回路１４０に電気接続されることによりスキニング装置の超音波刃物を駆動する。前記電源回路１１０は電源電圧を供給し、前記主制御回路１２０は、目標周波数、目標デューティ比を具備するパラス信号を前記駆動スイッチ回路１３０に送信する。前記駆動スイッチ回路１３０は前記主制御回路１２０が出力した前記パルス信号により前記電圧変換回路１４０を制御し、それにより前記電源回路１１０が供給した前記電源電圧を変換させることにより目標駆動電圧を獲得する。前記電圧変換回路１４０は前記駆動信号出力インターフェース１５０により前記目標駆動電圧を超音波刃物に出力することにより前記超音波刃物が振動するように駆動する。
【００２６】
具体的に、前記電源回路１１０はスキニング装置駆動回路１０の各回路に電力を供給する。電源回路１１０として従来の技術の電源を使用することができる。主制御回路１２０は目標周波数、目標デューティ比を具備するパルス信号を出力する。駆動スイッチ回路１３０は、主制御回路１２０が出力するパルス信号により電圧変換回路１４０が電源回路１１０が供給する電源電圧に対して電圧変換例えば昇圧をすることに制御し、かつ変換によって獲得した目標駆動電圧を駆動信号出力インタフェース１５０から出力することにより前記超音波刃物を駆動する。
【００２７】
図３に示すとおり、前記主制御回路１２０はマイクロコントローラー（ｍｉｃｒｏｃｏｎｔｒｏｌｌｅｒ）Ｕ２を含み、前記マイクロコントローラーＵ２は前記電源回路１１０と前記駆動スイッチ回路１３０に電気接続される。マイクロコントローラーＵ２は例えばＭＣＵであることができる。前記マイクロコントローラーＵ２は、周波数の範囲が２４．５〜２５．５  ＫＨｚであり、デューティ比の範囲が３７％±２％であるパルス信号を形成するとともにピンＰ１７（図３を参照）によりそのパルス信号を駆動スイッチ回路１３０に出力する。図２に示すとおり、前記主制御回路１２０はブザーＢＺとキャパシターＣ５を更に含み、前記マイクロコントローラーＵ２は前記キャパシターＣ５により前記ブザーＢＺの一端に電気接続され、前記ブザーＢＺの他端は接地する。
【００２８】
図３に示すとおり、前記駆動スイッチ回路１３０は、電場効果トランジスター（Ｆｉｅｌｄ  Ｅｆｆｅｃｔ  Ｔｒａｎｓｉｓｔｏｒ）Ｑ２、抵抗Ｒ４（第一抵抗に対応）、抵抗Ｒ９（第二抵抗に対応）、抵抗Ｒ１１（第三抵抗に対応）および抵抗Ｒ１０（第四抵抗に対応）を含む。前記電場効果トランジスターＱ２は例えば、ソースＳ、ゲートＧおよびドレーンＤを含むことができる。前記電場効果トランジスターＱ２の品番は例えばＡＯ４４３０であることができる。
【００２９】
図３に示すとおり、電圧変換回路１４０は例えば変圧器Ｔ１を含み、前記変圧器Ｔ１は一次コイル（Ｐｒｉｍａｒｙ  ｃｏｉｌ）Ｔ１２と二次コイル（ｓｅｃｏｎｄａｒｙ  ｃｏｉｌ）Ｔ１３を含む。
【００３０】
図３に示すとおり、前記電場効果トランジスターＱ２のソースＳは抵抗Ｒ４により接地し、前記ゲートＧは抵抗Ｒ９により前記主制御回路１２０例えばマイクロコントローラーＵ２のピンＰ１７に電気接続され、前記ドレーンＤは前記電圧変換回路１４０の変圧器Ｔ１の一次コイルＴ１２の一端に電気接続される。また、前記電場効果トランジスターＱ２は抵抗Ｒ１１により前記主制御回路１２０例えばマイクロコントローラーＵ２に電気接続され、前記電場効果トランジスターＱ２は抵抗Ｒ１０、抵抗Ｒ９により前記主制御回路１２０例えばマイクロコントローラーＵ２のピンＰ１７に電気接続される。図３に示すとおり、前記一次コイルＴ１２の他端は前記電源回路１１０に電気接続されることにより電源回路１１０が供給する電圧Ｖ＋を獲得し、前記二次コイルＴ１３の両端は前記駆動信号出力インタフェース１５０の２つのピン（すなわち図３のＣＮ１）にそれぞれ電気接続される（すなわち図３中のＣＮ１端子のピン２と３）。
【００３１】
図４に示すとおり、前記スキニング装置駆動回路１０はイオン移動制御回路１６０を更に含む。前記イオン移動制御回路１６０は、前記主制御回路１２０、前記電源回路１１０および前記駆動信号出力インタフェース１５０に電気接続されることにより、化粧品中のイオン例えばカリウムイオン等の導入と電気を有している人体内の汚れ（例えば汚物イオン）の導出を制御する。
【００３２】
図５に示すとおり、前記イオン移動制御回路１６０は例えば、抵抗Ｒ１２（第五抵抗に対応）、抵抗Ｒ１８（第六抵抗に対応）、抵抗Ｒ１９（第七抵抗に対応）、抵抗Ｒ２０（第八抵抗に対応）、抵抗Ｒ１４（第九抵抗に対応）、抵抗Ｒ１３（第十抵抗に対応）、抵抗Ｒ１５（第十一抵抗に対応）、抵抗Ｒ１６（第十二抵抗に対応）、抵抗Ｒ１７（第十三抵抗に対応）、バイポーラ・バイポーラー・トランジスタ（Ｂｉｐｏｌａｒ  Ｊｕｎｃｔｉｏｎ  Ｔｒａｎｓｉｓｔｏｒ）Ｑ６（第一バイポーラ・バイポーラー・トランジスタに対応）、バイポーラ・バイポーラー・トランジスタＱ４（第二バイポーラ・バイポーラー・トランジスタに対応）、バイポーラ・バイポーラー・トランジスタＱ５（第三バイポーラ・バイポーラー・トランジスタに対応）、バイポーラ・バイポーラー・トランジスタＱ３（第四バイポーラ・バイポーラー・トランジスタに対応）、取っ手導電部接続インタフェースＣＯＮ１およびブレード金属部接続インタフェースＣＯＮ３を含むことができる。
【００３３】
図６に示すとおり、前記第二ケース４０から離れている前記第一ケース３０の一側には取っ手導電部３１０（図５中のＭ）が形成されている。前記第一ケース３０上には導電用貫通孔３０１２が形成されている。前記取っ手導電部３１０は、前記導電用貫通孔３０１２により前記第二ケース４０に近づいている前記第一ケース３０の一側まで延伸し、かつ前記スキニング装置駆動回路１０の前記取っ手導電部接続インタフェースＣＯＮ１に電気接続される。
【００３４】
図１に示すとおり、前記超音波刃物６０はブレード金属部６１０（すなわち図３と図５中のＦＡ）と前記ブレード金属部６１０上に形成される超音波振動部６２０を含む。前記超音波振動部６２０は前記駆動信号出力インターフェース１５０（すなわち図３中のＣＮ１インターフェース）に連結され、前記ブレード金属部６１０は前記ブレード金属部接続インタフェースＣＯＮ３に連結される。
【００３５】
注意されたいことは、超音波振動部６２０を超音波エネルギー変換装置ともいう。超音波振動部６２０はスキニング装置駆動回路１０が供給した目標周波数、目標デューティ比および目標駆動電圧を具備している電気エネルギーを機械的振動に変換させる装置である。超音波振動部６２０は例えば、エネルギー変換器の圧電効果により電気エネルギーを機械的振動に変換させる装置であることができる。常用している超音波振動部６２０のエネルギー変換器は磁歪変換器（Ｍａｇｎｅｔｏ  Ｓｔｒｉｃｔｉｏｎ  Ｔｒａｎｓｄｕｃｅｒ）と圧電変換器（Ｐｉｅｚｏｅｌｅｃｔｒｉｃ  ｔｒａｎｓｄｕｃｅｒ）がある。超音波振動部６２０として市販されている従来の技術の超音波エネルギー変換装置を使用することができ、本考案はそれを説明しない。
【００３６】
本考案の実施例において、使用者が超静音スキニング装置９００を取って顔の皮膚に対して美容をするとき、手の平の皮膚は取っ手導電部Ｍと接触し、顏の皮膚はブレード金属部ＦＡと接触することにより、イオン移動制御回路１６０と手の平、顔の皮膚との間に微小電流回路が形成されるので、化粧品中の栄養イオンの導入、人体内の汚れの導出および皮膚を引き上げる効果等を確保することができる。
【００３７】
具体的に、図５に示すとおり、前記バイポーラ・バイポーラー・トランジスタＱ６のベース電極（ｂａｓｅ  ｅｌｅｃｔｒｏｄｅ）は抵抗Ｒ１２により前記主制御回路１２０例えばマイクロコントローラーＵ２のピンＵ２−１に電気接続され、前記バイポーラ・バイポーラー・トランジスタＱ６のエミッタ（ｅｍｉｔｔｅｒ）は接地し、バイポーラ・バイポーラー・トランジスタＱ６のコレクター（ｃｏｌｌｅｃｔｏｒ）は抵抗Ｒ１８によりブレード金属部接続インタフェースＣＯＮ３に電気接続され、前記駆動信号出力インタフェース１５０は抵抗Ｒ１８と前記ブレード金属部接続インタフェースＣＯＮ３との間にも電気接続される。前記バイポーラ・バイポーラー・トランジスタＱ４のベース電極は抵抗Ｒ１９により前記主制御回路１２０のピンＵ２−３に電気接続され、前記バイポーラ・バイポーラー・トランジスタＱ４のエミッタは接地し、バイポーラ・バイポーラー・トランジスタＱ４のコレクターは抵抗Ｒ１７により前記取っ手導電部接続インタフェースＣＯＮ１に電気接続される。バイポーラ・バイポーラー・トランジスタＱ５のコレクターはバイポーラ・バイポーラー・トランジスタＱ４の前記コレクターに電気接続され、バイポーラ・バイポーラー・トランジスタＱ５のエミッタは抵抗Ｒ２０により前記電源回路１１０例えば給電端子Ｖ＋に電気接続され、バイポーラ・バイポーラー・トランジスタＱ５のベース電極は抵抗Ｒ１３によりバイポーラ・バイポーラー・トランジスタＱ３のコレクターに電気接続される。抵抗Ｒ１４の一端はバイポーラ・バイポーラー・トランジスタＱ５のベース電極と抵抗Ｒ１３との間に電気接続され、抵抗Ｒ１４の他端は抵抗Ｒ１２とバイポーラ・バイポーラー・トランジスタＱ３のエミッタとの間に電気接続される。抵抗Ｒ１５はバイポーラ・バイポーラー・トランジスタＱ３のベース電極とエミッタとの間に電気接続される。抵抗Ｒ１６の一端はバイポーラ・バイポーラー・トランジスタＱ３のベース電極に電気接続され、抵抗Ｒ１６の他端は抵抗Ｒ１７とバイポーラ・バイポーラー・トランジスタＱ４のコレクターとの間に電気接続され、バイポーラ・バイポーラー・トランジスタＱ３のベース電極は抵抗Ｒ１８とバイポーラ・バイポーラー・トランジスタＱ４のコレクターとの間にも電気接続される。
【００３８】
具体的に、バイポーラ・バイポーラー・トランジスタＱ６とバイポーラ・バイポーラー・トランジスタＱ４はＮＰＮ型バイポーラ・バイポーラー・トランジスタであり、バイポーラ・バイポーラー・トランジスタＱ５とバイポーラ・バイポーラー・トランジスタＱ３はＰＮＰ型バイポーラ・バイポーラー・トランジスタである。
【００３９】
イオン移動制御回路１６０の作動原理は例えば次のとおりである。マイクロコントローラーＵ２のピンＵ２−１が出力した電圧＝１であり（或いはハイレベル（ｈｉｇｈ  ｌｅｖｅｌ））、マイクロコントローラーＵ２のピンＵ２−３が出力した電圧＝０である（或いはローレベル（ｌｏｗ  ｌｅｖｅｌ））とき、バイポーラ・バイポーラー・トランジスタＱ６はオン状態になる。抵抗Ｒ１４と抵抗Ｒ１３が分圧をすることにより、バイポーラ・バイポーラー・トランジスタＱ５のベース電極の電圧は低下し、バイポーラ・バイポーラー・トランジスタＱ５はオン状態になる。そのとき、取っ手導電部Ｍに電気接続される取っ手導電部接続インタフェースＣＯＮ１の電圧は＋になり、ブレード金属部ＦＡに電気接続されるブレード金属部接続インタフェースＣＯＮ３の電圧は−になる。超静音スキニング装置９００はイオン導入状態になるので、化粧品中の栄養イオン例えばカリウムイオンを皮膚に導入することができる。ピンＵ２−３が出力した電圧＝１であり（或いはハイレベル）、ピンＵ２−１が出力した電圧＝０である（或いはローレベル）とき、バイポーラ・バイポーラー・トランジスタＱ４はオン状態になる。抵抗Ｒ１５と抵抗Ｒ１６が分圧をすることにより、バイポーラ・バイポーラー・トランジスタＱ３のベース電極の電圧は低下し、バイポーラ・バイポーラー・トランジスタＱ３はオン状態になる。そのとき、取っ手導電部Ｍに電気接続される取っ手導電部接続インタフェースＣＯＮ１の電圧は−になり、ブレード金属部ＦＡに電気接続されるブレード金属部接続インタフェースＣＯＮ３の電圧は＋になる。超静音スキニング装置９００はイオン導出状態になるので、人体内の汚れ（電気を有している汚物ともいう）を皮膚の外部に導出することによりブレード金属部ＦＡがそれを除去することができる。
【００４０】
本考案の他の実施例において、図４に示すとおり、前記スキニング装置駆動回路１０はスイッチ制御回路１７０を更に含み、前記スイッチ制御回路１７０は前記電源回路１１０と前記主制御回路１２０に電気接続される。スイッチ制御回路１７０によりスキニング装置の機能を選択するとともに制御することができる。例えば、オン、オフ、振動＋イオンの導出、振動＋イオンの導入等を選択するとともに制御することができる。
【００４１】
具体的に、図７に示すとおり、前記スイッチ制御回路１７０は例えば、制御スイッチＳ１、第一パイロットランプ（ｐｉｌｏｔ  ｌａｍｐ）ＬＤ１、第二パイロットランプＬＤ２、第三パイロットランプＬＤ３、抵抗Ｒ５（第十四抵抗に対応）、抵抗Ｒ７（第十五抵抗に対応）および抵抗Ｒ８（第十六抵抗に対応）を含むことができる。前記制御スイッチＳ１の一端は抵抗Ｒ５により接地し、前記制御スイッチＳ１の他端は前記主制御回路１２０例えばマイクロコントローラーＵ２のピンＫＥＹ２に電気接続され、前記制御スイッチＳ１の他端は第二パイロットランプＬＤ２と抵抗Ｒ７により前記主制御回路１２０例えばマイクロコントローラーＵ２のピンＬＥＤ２と前記電源回路１１０にも電気接続される。前記第一パイロットランプＬＤ１の一端は前記第二パイロットランプＬＤ２と前記抵抗Ｒ７との間に電気接続され、前記第一パイロットランプＬＤ１の他端は前記主制御回路１２０例えばマイクロコントローラーＵ２のピンＫＥＹ１に電気接続される。前記第三パイロットランプＬＤ３の一端は前記第一パイロットランプＬＤ１の他端に電気接続され、前記第三パイロットランプＬＤ３の他端は前記抵抗Ｒ８により前記主制御回路１２０例えばマイクロコントローラーＵ２のピンＬＥＤ１と前記電源回路１１０に電気接続される。
【００４２】
具体的に、前記スイッチ制御回路１７０の作動過程は次のとおりである。使用者が制御スイッチＳ１を２秒間押すことにより超静音スキニング装置９００を起動させる。超静音スキニング装置９００が起動するとき、超静音スキニング装置９００は第一作動モードになり、第一パイロットランプＬＤ１は点燈する。そのとき、スキニング装置駆動回路１０は超音波を連続的に出力するにより汚れを除去し、主制御回路１２０はイオン移動制御回路１６０を制御することによりイオン導出機能を起動させる。使用者が制御スイッチＳ１を再び間押すと、超静音スキニング装置９００は第二作動モードになる。そのとき、スキニング装置駆動回路１０は超音波を不連続的に出力し、主制御回路１２０はイオン移動制御回路１６０を制御することによりイオン導入機能を起動させる。その場合、第二パイロットランプＬＤ２が点燈する。使用者が制御スイッチＳ１を再び間押すと、超静音スキニング装置９００は第三作動モードになる。そのとき、スキニング装置駆動回路１０は超音波を不連続的に出力し、主制御回路１２０はイオン移動制御回路１６０を制御することによりイオン導入機能、皮膚を引き上げる機能を起動させる。その場合、第三パイロットランプＬＤ３が点燈する。使用者が制御スイッチＳ１を再び間押すと、超静音スキニング装置９００は再び第一作動モードになり、第一パイロットランプＬＤ１は点燈する。そのとき、スキニング装置駆動回路１０は超音波を連続的に出力するにより汚れを除去し、主制御回路１２０はイオン移動制御回路１６０を制御することによりイオン導出機能を起動させる。前記過程を繰り返すことができる。使用者が制御スイッチＳ１を２秒間押すことにより超静音スキニング装置９００をオフさせる。マイクロコントローラーＵ２は超静音スキニング装置９００が充電状態になっていることを検出すると、超静音スキニング装置９００を強制的にオフさせるので、超静音スキニング装置９００をオンさせることができない。３つのパイロットランプＬＤ１〜ＬＤ３が低頻度で点滅することにより充電状態を提示する。超静音スキニング装置９００が充分に充電されると、３つのパイロットランプＬＤ１〜ＬＤ３が常時点燈することにより充電を提示する。
【００４３】
本考案の他の具体的な実施例において、図８に示すとおり、電源回路１１０は例えば、第一インタフェース１１１、充電回路１１２、バッテリーインタフェース１１３、昇圧回路１１４およびレギュレーション回路１１５を含むことができる。前記第一インタフェース１１１は前記充電回路１１２により前記バッテリーインタフェース１１３と前記昇圧回路１１４に電気接続され、前記昇圧回路１１４は、前記レギュレーション回路１１５、前記主制御回路１２０および前記電圧変換回路１４０に電気接続され、前記レギュレーション回路１１５は前記主制御回路１２０に電気接続され、前記充電回路１１２は前記主制御回路１２０と前記スイッチ制御回路１７０にも電気接続される。
【００４４】
具体的に、図９に示すとおり、第一インタフェース１１１（すなわち図９中のＩＮＵＳＢ）は例えばＵＳＢインタフェースであることができる。第一インタフェース１１１は電源ピン組例えばＶＢＵＳピン組とＡＧＮＤピンを含むことにより電源に電気接続されることができる。電源ピン組は充電回路１１２によりバッテリーインタフェース１１３と昇圧回路１１４に電気接続される。
【００４５】
充電回路１１２は例えば電源回路チップＵ３を含み、電源回路チップＵ３の品番は例えばＴＰ４０５７であることができる。電源回路チップＵ３のＶＣＣピンは第一インタフェース１１１（すなわち図９中のＩＮＵＳＢ）のＶＢＵＳピンに電気接続されることにより電力を獲得する。電源回路チップＵ３のＳＴＤＢＹピンは抵抗Ｒ０４によりマイクロコントローラーＵ２のＬＥＤ１ピンに電気接続される。電源回路チップＵ３のＣＨＲＧピンは抵抗Ｒ０５によりマイクロコントローラーＵ２のＬＥＤ２ピンに電気接続される。電源回路チップＵ３のＢＡＴピンは、電圧出力ピンであり、バッテリーインタフェース１１３（図９中のＣＯＮ２インタフェース）に電気接続される。バッテリーインタフェース１１３は超静音スキニング装置９００のバッテリーモジュール２０例えばストレージバッテリ等に電気接続されることにより電気エネルギーを貯蔵する。充電回路１１２は例えば、他の電子部品例えばキャパシターＣ０１、Ｃ０２、抵抗Ｒ０２等を更に含むことによりバッテリー充電機能を実現することができる。充電回路１１２として従来の技術の他の充電回路を用いることもできるが、本考案はそれを限定しない。
【００４６】
図９に示すとおり、前記第一インタフェース１１１はデータ入力ピン組例えばピンＤ−とピンＤ＋を更に含む。前記第一インタフェース１１１は前記主制御回路１２０例えばマイクロコントローラーＵ２に電気接続される。例えばピンＤ−はマイクロコントローラーＵ２のピンＩＳＰＤＡＴに電気接続され、ピンＤ＋はマイクロコントローラーＵ２のピンＩＳＰＣＫに電気接続されることにより、前記主制御回路１２０のマイクロコントローラーＵ２にデータを入力し、マイクロコントローラーＵ２のプログラムバーニング（Ｐｒｏｇｒａｍ  ｂｕｒｎｉｎｇ）とデバッギングおよびシミュレーション（Ｄｅｂｕｇｇｉｎｇ  ａｎｄ  ｓｉｍｕｌａｔｉｏｎ）をすることができる。
【００４７】
図９に示すとおり、前記スキニング装置駆動回路１０は第二インタフェースＩＳＰを更に含み、前記第二インタフェースＩＳＰは前記主制御回路１２０と前記第一インタフェース１１１との間に電気接続されることにより前記主制御回路１２０にデータを入力することができる。具体的に、第二インタフェースＩＳＰの１つのピンは第一インタフェース１１１のピンＤ−とマイクロコントローラーＵ２のピンＩＳＰＤＡＴとの間に電気接続され、第二インタフェースＩＳＰの他の１つのピンは第一インタフェース１１１のピンＤ＋とマイクロコントローラーＵ２のピンＩＳＰＣＫとの間に電気接続される。第二インタフェースＩＳＰによりマイクロコントローラーＵ２にデータを入力し、マイクロコントローラーＵ２のプログラムバーニングとデバッギングおよびシミュレーションをすることもできる。すなわち、使用者は第一インタフェース１１１または第二インタフェースＩＳＰによりマイクロコントローラーＵ２のプログラムバーニングとデバッギングおよびシミュレーションをすることができる。
【００４８】
図１０に示すとおり、昇圧回路１１４は例えば昇圧チップＵ４を含む。昇圧チップＵ４は例えばＭＴ３６０８チップであり、それにより直流電源の電圧に対して昇圧をすることができる。昇圧回路１１４の電圧入力端はＢ＋であり、それは充電回路１１２、主制御回路１２０に電気接続される。昇圧回路１１４の電圧出力端はＶ＋であり、それは電圧変換回路１４０、イオン移動制御回路１６０およびレギュレーション回路１１５に電気接続される。昇圧回路１１４は他の電子部品例えば図８中の抵抗Ｒ１、Ｒ２、Ｒ３、キャパシターＣ１、Ｃ３、インダクター（ｉｎｄｕｃｔｏｒ）Ｌ１等を更に含むことにより電源電圧の昇圧機能を実現することができる。昇圧回路１１４として従来の技術の他の昇圧回路を用いることもできるが、本考案はそれを限定しない。
【００４９】
図１１に示すとおり、レギュレーション回路１１５は例えば、レギュレーションチップＵ１、キャパシターＣ７およびキャパシターＣ８を含むことができる。レギュレーションチップＵ１は、入力端ピンＶｉｎ、出力端ピンＶｏｕｔおよび接地端ピンＧＮＤを含む。キャパシターＣ７は入力端ピンＶｉｎと接地端ピンＧＮＤとの間に電気接続され、キャパシターＣ８は出力端ピンＶｏｕｔと接地端ピンＧＮＤとの間に電気接続される。入力端ピンＶｉｎは昇圧回路１１４の電圧出力端Ｖ＋に電気接続され、出力端ピンＶｏｕｔは主制御回路１２０例えばマイクロコントローラーＵ２に電気接続される。レギュレーション回路１１５として従来の技術のレギュレーション回路を用いることもできるが、本考案はそれを限定しない。
【００５０】
本考案の他の実施例に係るスキニング装置駆動回路１０の作動過程は次のとおりである。使用者が作動モードを選択した後、主制御回路１２０例えばマイクロコントローラーＵ２はイネーブル（ｅｎａｂｌｅ）信号を昇圧回路の昇圧チップＵ４の昇圧イネーブルピンに出力し、バッテリーインタフェース１１３から入力されるバッテリーの電圧に対して一回目の昇圧をし、かつ昇圧された電圧を電圧変換回路１４０に出力する。マイクロコントローラーＵ２のピンＰ１７は、目標周波数、目標デューティ比を具備するパラス信号例えばＰＷＭ信号を駆動スイッチ回路１３０に送信し、駆動スイッチ回路１３０は電圧変換回路１４０の変圧器Ｔ１を駆動することにより電源回路１１０を通過しかつ一回目の昇圧がされる電圧に対して昇圧を再びすることにより昇圧後の目標駆動電圧を獲得する。前記目標駆動電圧の範囲は２．７Ｖ〜４．２Ｖである。獲得した目標駆動電圧は駆動信号出力インタフェース１５０によって超音波刃物に出力され、目標駆動電圧により超音波刃物が超音静音振動をするように駆動する。
【００５１】
図６を参照すると、前記第一ケース３０は第一ケース本体３０１を含み、前記第一ケース本体３０１の外側には第一ケース本体３０１の長手方向に延伸しているストリップ状凹部３０１１が形成されている。前記導電用貫通孔３０１２は前記ストリップ状凹部３０１１内に形成されている。前記取っ手導電部３１０は例えば、ストリップ状底部３１１と前記ストリップ状底部３１１の一側に形成される導電柱３１２とを含むことができる。ストリップ状底部３１１と導電柱３１２はいずれも導電材料で製造される。ストリップ状底部３１１は前記ストリップ状凹部３０１１内に結合され、前記導電柱３１２は前記導電用貫通孔３０１２に挿入されるとともに前記スキニング装置駆動回路１０の前記取っ手導電部接続インタフェースＣＯＮ１に電気接続される。微小電流で皮膚を刺激することにより筋肉の痙攣（ｃｏｎｖｕｌｓｉｏｎ）を低減し、筋肉の移動を増加させ、筋萎縮（ａｍｙｏｔｒｏｐｈｙ）を減少させるとともに防止し、局部の血液循環と筋肉の再鍛錬を増加させることができる。また、微小電流で筋肉とリンパを刺激することにより、筋肉を収縮させ、水腫を抑制し、皮膚を引き上げる効果等を獲得することができる。
【００５２】
図６に示すとおり、取っ手導電部３１０のストリップ状底部３１１には第一位置決め部３１３と第二位置決め部３１４が形成され、第一位置決め部３１３と第二位置決め部３１４は、前記ストリップ状底部３１１に連結され、かつストリップ状底部３１１上において導電柱３１２が位置している一側に形成されている。好ましくは、第一位置決め部３１３と第二位置決め部３１４は前記ストリップ状底部３１１にそれぞれ垂直である。第一位置決め部３１３と第二位置決め部３１４は導電柱３１２の両側すなわち前記ストリップ状底部３１１の長手方向の両側に位置している。前記ストリップ状凹部３０１１内には第一位置決め孔３０１３と第二位置決め孔３０１４が更に形成されている。第一位置決め孔３０１３と第二位置決め孔３０１４は導電用貫通孔３０１２の両側すなわち前記ストリップ状凹部３０１１の長手方向の両側に位置している。第一位置決め部３１３および第二位置決め部３１４は、第一位置決め孔３０１３および第二位置決め孔３０１４と一対一に対応し、かつ第一位置決め孔３０１３および第二位置決め孔３０１４にそれぞれ挿入される。それにより取っ手導電部３１０の位置を決めるとともに固定させることができるので、取っ手導電部３１０の結合が緩むことと取っ手導電部３１０が脱落することを避け、取っ手導電部３１０が前記スキニング装置駆動回路１０に安定に接続されることを確保することができる。好ましくは、第一位置決め部３１３と第二位置決め部３１４の長さは導電柱３１２の長さより短い。
【００５３】
図６に示すとおり、第一ケース３０は取っ手導電部の防水シリカゲルベース３２０を更に含むことができる。取っ手導電部の防水シリカゲルベース３２０は、防水シリカゲルベース本体３２０、防水シリカゲルベース本体３２０上に形成される第一防水孔３２２、第二防水孔３２３および第三防水孔３２４を含む。防水シリカゲルベース本体３２０は前記取っ手導電部から離れている前記第一ケース本体３０１の一側に取り付けられ、第一位置決め部３１３、導電柱３１２および第二位置決め部３１４はそれぞれ、第一防水孔３２２、第二防水孔３２３および第三防水孔３２４に挿入される。その構造により水、栄養液等の液体が第一ケース本体３０１のストリップ状凹部３０１１を通過した後、導電柱３１２、第一位置決め部３１３および第二位置決め部３１４等に沿ってスキニング装置本体８００の内部に流入することを防止することができるので、製品の防水性能を向上させ、製品の使用寿命を延長させることができる。
【００５４】
スキニング装置駆動回路１０の電子部品の配置において、図１２に示すとおり、前記スキニング装置駆動回路１０は回路基板１０１を更に含む。前記バッテリーモジュール２０、前記電源回路１１０、前記主制御回路１２０、前記駆動スイッチ回路１３０、前記電圧変換回路１４０および駆動信号出力インタフェース１５０は前記第一ケース３０に近づいている前記回路基板１０１の一側に取り付けられる。前記回路基板１０１の第一端Ｅ１には超音波刃物を固定させるシリカゲル部品１０２が更に取り付けられ、前記超音波刃物６０は前記シリカゲル部品１０２により前記回路基板１０１上に固定されるとともに前記駆動信号出力インタフェース１５０に電気接続される。電源回路１１０の第一インタフェース１１１は前記超音波刃物６０から離れている前記回路基板１０１の第二端Ｅ２に取り付けられ、前記バッテリーモジュール２０は前記超音波刃物６０と前記第一インタフェース１１１との間に位置する。前記電圧変換回路１４０の変圧器Ｔ１は前記バッテリーモジュール２０と前記超音波刃物６０との間に位置する。
【００５５】
本考案の他の実施例において、図１３に示すとおり、超静音スキニング装置９００は本体保護ケース７１０と密閉部品７２０を更に含むことができる。
【００５６】
本体保護ケース７１０は、スキニング装置本体８００を保護し、防水構造を形成することによりスキニング装置本体８００が進水により破損されることを避けることができる。図１３に示すとおり、本体保護ケース７１０は例えばケースのような部品であり、その形状は例えば円筒状であることができる。本体保護ケース７１０の形状は他の形状例えば円柱形等であることもできるが、本考案はそれを限定しない。スキニング装置本体８００の防水構造を形成できる形状であればいずれでもよい。本体保護ケース７１０は超音波刃物６０を露出させるようにスキニング装置本体８００の外部に取り付けられる。すなわち本体保護ケース７１０はスキニング装置本体８００全体を覆うとともに超音波刃物６０を露出させる。前記本体保護ケース７１０上にはストリップ状貫通孔７１１が形成され、ストリップ状貫通孔７１１と取っ手導電部３１０の位置が対応することにより取っ手導電部３１０を露出させることができる。それにより使用者が超静音スキニング装置９００を使用するとき、皮膚と取っ手導電部３１０が接触することにより微小電流回路が形成される。
【００５７】
密閉部品７２０は主として密閉の役割をし、密閉部品７２０は、前記本体保護ケース７１０に連結され、超音波刃物６０を包囲するように取り付けられ、かつ本体保護ケース７１０を密閉させる。スキニング装置本体８００の外部に本体保護ケース７１０を取り付け、かつ密閉部品７２０を取り付けることにより、スキニング装置の防水性がよくない問題を解決し、防水性能を向上させることができる。
【００５８】
図１３に示すとおり、密閉部品７２０は例えば、超音波刃物防水ケース７２１と超音波刃物防水シリカゲル７２２を含むことができる。超音波刃物防水シリカゲル７２２は超音波刃物防水ケース７２１内に取り付けられ、超音波刃物防水シリカゲル７２２は超音波刃物６０を包囲するように取り付けられる。超音波刃物防水ケース７２１は前記本体保護ケース７１０に結合されることにより本体保護ケース７１０を密閉させる。超音波刃物防水シリカゲル７２２は従来の技術において常用する密閉材料で製作され、その形状は円形シリカゲルまたはストリップ状シリカゲル等であることができる。超音波刃物防水ケース７２１を前記本体保護ケース７１０に結合させるとき、超音波刃物防水ケース７２１と前記本体保護ケース７１０はホックと結合凹部により結合されることができる。
【００５９】
図１３に示すとおり、超静音スキニング装置９００は超音波刃物保護カバー５００を更に含むことができる。超音波刃物保護カバー５００は密閉部品７２０上の超音波刃物防水ケース７２１上に取り付けられ、かつ超音波刃物６０を覆うことにより、超音波刃物６０が破損されることを避け、使用の寿命を延長させることができる。
【００６０】
以上のとおり、本考案の実施例に係る超静音スキニング装置は所定のスキニング装置駆動回路を使用することにより、目標周波数、目標デューティ比を具備する駆動信号を形成し、前記駆動信号によって前記バッテリーモジュールが出力する電源電圧を変換させることにより目標駆動電圧を獲得し、かつ前記目標駆動電圧を前記超音波刃物に出力することによりその超音波刃物が振動するように駆動する。それにより、スキニング装置の静音の効果を獲得し、製品の品質と使用者の体験を向上させることができる。イオン移動制御回路が設けられることによりイオンの導入、導出および超音波振動が含まれる多機能組合せモードを獲得することができ、かつ形成された微小電流で皮膚を刺激することにより筋肉の痙攣を低減し、筋肉の移動を増加させ、筋萎縮を減少させるとともに防止し、局部の血液循環と筋肉の再鍛錬を増加させることができる。また、微小電流で筋肉とリンパを刺激することにより、筋肉を収縮させ、水腫を抑制し、皮膚を引き上げる効果等を獲得することができる。使用者にいろいろな機能を提供することにより使用者の使用体験を向上させるとともに製品の使用の範囲を広げることができる。電源回路に昇圧回路が設けられることによりバッテリーモジュールが入力した電源電圧に対して昇圧を二回実施し、超音波振動に用いられる電圧を正確に制御することができる。また、キニング装置本体の外部に取り付けられる本体保護ケースと密閉部品により従来の技術のキニング装置の防水性がよくない問題を解決することができる。
【００６１】
注意されたいことは、前記複数の実施例は本考案の例示にしか過ぎないものであるため、技術的特徴の衝突、構造上の矛盾が生ずなく、本考案の目的を違背しない場合、各実施例の技術的事項を任意に組み合わせて用いることができる。
【００６２】
注意されたいことは、本考案の複数の実施例に記載されているシステム、装置および方法は他の方法により実施されることができる。例えば、前記装置の実施例は本考案の例示にしか過ぎないものである。例えば、ユニットを区分するとき、ロジック機能によりユニットを区分することができるが、他の区分方向によりユニットを区分することもできる。例えば、多路ユニットまたはモジュールを結合させるか或いは他のシステムに集積させるか或いは所定の特徴を省略するか或いは実施しないことができる。本考案に記載されるか或いは検討する、部品の間の連結または直接的連結または通信的連結は、インタフェース、装置またはユニットにより間接的に連結されるか或いは通信的に連結されることを指し、それらは、電気的接続、機械的連結または他の形式の連結であることができる。
【００６３】
分離部品というユニットは機械的に分離されている部品または機械的に分離されていない部品を意味し、ユニットとして表示する部品は機械的ユニットであるか或いは機械的ユニットでないことができ、それらは１つの位置に設けられるか或いはネットワーク上に配置されることができる。実際の需要により所定の部分または全部を選択することにより本考案の目的を実現することができる。
【００６４】
説明したいことは、前記実施例はこの考案の技術的事項を説明するものであるが、この考案を限定するものでない。前記実施例によりこの考案の技術的事項を詳細に説明してきたが、この技術分野の技術者は前記実施例に記載される技術的事項を修正するか或いは前記実施例に記載される一部分の技術的事項を代替することができる。この考案の要旨を逸脱しない範囲内において実施される前記修正または代替があっても、それらがこの考案の範囲に含まれることは勿論である。
【図１】
0003232809.tif 000003
【図２】
0003232809.tif 000004
【図３】
0003232809.tif 000005
【図４】
0003232809.tif 000006
【図５】
0003232809.tif 000007
【図６】
0003232809.tif 000008
【図７】
0003232809.tif 000009
【図８】
0003232809.tif 000010
【図９】
0003232809.tif 000011
【図１０】
0003232809.tif 000012
【図１１】
0003232809.tif 000013
【図１２】
0003232809.tif 000014
【図１３】
0003232809.tif 000015